(57)【要約】【課題】本発明の課題は、空調機のケーシング内面や熱交換器に付着した粉体を自動的かつ効果的に洗浄することができる洗浄効率に優れた空調機の洗浄システムを提供することにある。【解決手段】本発明は、熱交換器３７の上流側および／または下流側から洗浄用流体を噴射して熱交換器上流側および／または熱交換器下流側のケーシング内面を洗浄するケーシング洗浄装置と、熱交換器３７の上流側および／または下流側から洗浄用流体を噴射して熱交換器３７を洗浄する熱交換器洗浄装置と、洗浄用流体をケーシング洗浄装置および／または熱交換器洗浄装置に供給する洗浄用流体供給装置とを備えることを特徴とする。【選択図】    図２
2004191012.tif 000002
【特許請求の範囲】
【請求項１】
空気を通過させる熱交換器がケーシング内に設けられた空調機を自動洗浄する空調機の洗浄システムであって、少なくとも、
熱交換器の上流側および／または下流側から洗浄用流体を噴射して熱交換器上流側および／または熱交換器下流側のケーシング内面を洗浄するケーシング洗浄装置と、
熱交換器の上流側および／または下流側から洗浄用流体を噴射して熱交換器を洗浄する熱交換器洗浄装置と、
洗浄用流体をケーシング洗浄装置および／または熱交換器洗浄装置に供給する洗浄用流体供給装置と
を備えることを特徴とする空調機の洗浄システム。
【請求項２】
熱交換器洗浄装置は、噴射方向が固定された洗浄ノズルを用いて熱交換器に向けてのみ洗浄用流体を噴射するとともに、ケーシング洗浄装置は、洗浄ノズルを用いてケーシング内面に洗浄用流体を噴射することを特徴とする請求項１に記載の空調機の洗浄システム。
【請求項３】
空調機の運転制御を行う制御装置をさらに備え、前記制御装置は空調機運転中に運転モードとして、
洗浄用流体が空調機に供給されないようにするとともに熱交換器を介して生成された空調空気を空調対象室へ供給する空調運転モードか、
洗浄用流体供給装置により洗浄用流体を空調機に供給して熱交換器およびケーシング内面を洗浄する洗浄運転モード
のいずれかを実行することを特徴とする請求項１または２に記載の空調機の洗浄システム。
【請求項４】
空気を通過させる熱交換器がケーシング内に設けられた空調機を自動洗浄する空調機の洗浄システムであって、少なくとも、
熱交換器の上流側および／または下流側から洗浄用流体を噴射して熱交換器上流側および／または熱交換器下流側のケーシング内面を洗浄するケーシング洗浄装置と、
熱交換器の上流側および／または下流側から洗浄用流体を噴射して熱交換器を洗浄する熱交換器洗浄装置と、
洗浄用流体をケーシング洗浄装置および／または熱交換器洗浄装置に供給する洗浄用流体供給装置と、
熱交換器上流側のケーシングおよび熱交換器下流側のケーシングに設けられた乾燥用流体出入口部を介し乾燥用流体を通流してケーシング内面および熱交換器を乾燥させる乾燥装置と
を備えることを特徴とする空調機の洗浄システム。
【請求項５】
熱交換器洗浄装置は、噴射方向が固定された洗浄ノズルを用いて熱交換器に向けてのみ洗浄用流体を噴射するとともに、ケーシング洗浄装置は、洗浄ノズルを用いてケーシング内面に洗浄用流体を噴射することを特徴とする請求項４に記載の空調機の洗浄システム。
【請求項６】
空調機の運転制御を行う制御装置をさらに備え、前記制御装置は空調機運転中に運転モードとして、
洗浄用流体および乾燥用流体が空調機に供給されないようにするとともに熱交換器を介して生成された空調空気を空調対象室へ供給する空調運転モードか、
洗浄用流体供給装置により洗浄用流体を空調機に供給して熱交換器およびケーシング内面を洗浄する洗浄運転モードか、
乾燥用流体を空調機に供給して空調機内部を乾燥させる乾燥運転モード
のいずれかを実行することを特徴とする請求項４または５に記載の空調機の洗浄システム。
【請求項７】
前記制御装置は、洗浄運転モードにおいて、洗浄用流体が熱交換器洗浄装置またはケーシング洗浄装置のいずれか一方の洗浄装置のみに供給されるように洗浄用流体供給装置を制御して所定時間洗浄した後、洗浄用流体が他方の洗浄装置のみに供給されるように洗浄用流体供給装置を制御して洗浄することを特徴とする請求項３または６に記載の空調機の洗浄システム。
【請求項８】
洗浄用流体が噴射されているときに、洗浄用流体が空調機外の空調用空気流路へ漏出しないように制御される空気出入口部開閉装置がさらに設けられることを特徴とする請求項１乃至７のいずれか１項記載の空調機の洗浄システム。
【請求項９】
熱交換器洗浄装置として、洗浄用流体の熱交換器への噴射面がオーバラップしないようにして複数個の熱交換器洗浄用ノズルを用いることを特徴とする請求項１乃至８のいずれか１項記載の空調機の洗浄システム。
【請求項１０】
空調機底部に深型かつ洗浄用流体排出口に向けて傾斜した底面を有するドレンパンが設けられることを特徴とする請求項１乃至９のいずれか１項記載の空調機の洗浄システム。
【請求項１１】
空気を通過させる熱交換器がケーシング内に設けられた空調機を自動洗浄するための空調機の洗浄方法であって、熱交換器の上流側および／または下流側から洗浄用流体を噴射して熱交換器を洗浄する熱交換器洗浄装置ならびに熱交換器の上流側および／または下流側から洗浄用流体を噴射して熱交換器上流側および／または熱交換器下流側のケーシング内面を洗浄するケーシング洗浄装置のいずれか一方の洗浄装置を用いて所定時間洗浄した後、他方の洗浄装置を用いて洗浄することを特徴とする空調機の洗浄方法。
【発明の詳細な説明】
【０００１】
【発明の属する技術分野】
本発明は、空調機のケーシング内面および熱交換器の自動洗浄を可能とした空調機の洗浄システムおよび洗浄方法に関するものである。
【０００２】
【従来の技術】
食品工場（特にパン工場、菓子工場、製麺工場、製粉工場など）や製薬工場では多量の粉体を扱う部屋があり、このような部屋の空調は、一般的に、送風機により部屋の空気を吸引し熱交換器に通過させて熱交換した後に部屋内に導入する方式が採用されている。その場合、熱交換器や空調機内部に粉体が付着し空調機内部が不衛生になったり、粉体が熱交換器を閉鎖することで熱交換効率や送風量が低下し、空調機能に支障が生じたりするという問題があった。これを回避するために、熱交換器入口側にフィルターを設けることもあるが、粉体によりフィルターが詰まり、前述と同様に空調機能が低下することになる。
【０００３】
この問題を解消するために、本出願人は、特許文献１にて、熱交換器や空調機内部などの空気通過部分を水で洗浄できるようにした内部洗浄可能パッケージ空調機を提案した。この空調機は、熱交換器や空調機内部に付着した粉体を効率良く除去できるものの、その洗浄方法は、作業者が空気通過部分の扉を全面開放して水を掛けて洗浄する方式であるため、洗浄作業のさらなる省力化が要望されていた。また、洗浄時に作業室内の湿度を上昇させることも懸念され、製造環境の低湿度維持のための方策も課題であった。さらに、洗浄時に人手を介した洗浄作業を必要とするがゆえに、その設置形態が床置型に限定されていた。
【０００４】
一方、特許文献２には、空調機の熱交換器に付着した油性の汚れを、旋回式洗浄ノズルを用いて自動洗浄する技術が開示されている。しかし、大量に発生する洗浄排水を効率良く処理するための排水手段が空調機内に装備されていないため、洗浄時には、排水受けや排液溜のような排水手段を別途人手を介して準備する必要があり、洗浄作業が非効率なものになっていた。
【０００５】
【特許文献１】
特許第３１５９６８５号公報
【０００６】
【特許文献２】
特開平８−１７８５９１号公報
【０００７】
【発明が解決しようとする課題】
本発明は上記の事情に鑑みてなされたもので、空調機のケーシング内面や熱交換器に付着した粉体を自動的かつ効果的に洗浄することができる洗浄効率に優れた空調機の洗浄システムおよび洗浄方法を提供することを目的とする。
【０００８】
【課題を解決するための手段】
上記目的を達成するために本発明は、空気を通過させる熱交換器がケーシング内に設けられた空調機を自動洗浄するためのものであって、熱交換器の上流側および／または下流側から洗浄用流体を噴射して熱交換器を洗浄する熱交換器洗浄装置ならびに熱交換器の上流側および／または下流側から洗浄用流体を噴射して熱交換器上流側および／または熱交換器下流側のケーシング内面を洗浄するケーシング洗浄装置のいずれか一方の洗浄装置を用いて所定時間洗浄した後、他方の洗浄装置を用いて洗浄することを特徴とする。
【０００９】
【発明の実施の形態】
以下図面を参照して本発明の実施の形態例を詳細に説明する。
【００１０】
図１は本発明に係る空調機の洗浄システムの一実施形態例を示す構成説明図である。
【００１１】
すなわち、食品工場（特にパン工場、菓子工場、製麺工場、製粉工場等）や製薬工場等の建物の天井内には３台の空調機１１１，１１２，１１３が配設され、各空調機１１１，１１２，１１３は冷媒用配管１２により屋上等に設けられた室外機１３に接続され、室外機１３からの冷媒が冷媒用配管１２を通って各空調機１１１，１１２，１１３に循環供給される。各空調機１１１，１１２，１１３にはそれぞれ還気用ダクト１４１，１４２，１４３の一端が接続され、各還気用ダクト１４１，１４２，１４３の他端は天井面に開口され室内還気口を構成する。また、各空調機１１１，１１２，１１３にはそれぞれ給気用ダクト１５１，１５２，１５３の一端が接続され、各給気用ダクト１５１，１５２，１５３の他端は天井面に開口され室内給気口を構成する。例えば計量室、成形室などの空調対象室１６の室内空気は室内還気口から還気用ダクト１４１，１４２，１４３を通って空調機１１１，１１２，１１３に供給されて熱交換され、熱交換された空気は給気用ダクト１５１，１５２，１５３を通って室内給気口から空調対象室１６内に供給される。各空調機１１１，１１２，１１３は洗浄流体用配管１７により屋上等に設けられた共通の洗浄流体ポンプ１８を介して洗浄流体タンク１９に接続され、洗浄流体ポンプ１８により洗浄流体タンク１９からの例えば洗浄水等の洗浄用流体が洗浄流体用配管１７を通って各空調機１１１，１１２，１１３に供給されて各空調機１１１，１１２，１１３を洗浄する。各空調機１１１，１１２，１１３の下部にはドレン配管２０が接続され、このドレン配管２０を通って洗浄後の排水が排出される。各空調機１１１，１１２，１１３には乾燥用外気ダクト２１および乾燥用排気ダクト２２が接続され、この乾燥用外気ダクト２１には乾燥用外気ファン２３が設けられると共に乾燥用排気ダクト２２には乾燥用排気ファン２４が設けられる。乾燥用外気ファン２３により外気が取り入れられ乾燥用外気ダクト２１を通って各空調機１１１，１１２，１１３に供給されて各空調機１１１，１１２，１１３を乾燥する。各空調機１１１，１１２，１１３を乾燥した後の空気は乾燥用排気ファン２４により乾燥用排気ダクト２２を通って外部に排気される。図において、２５は空調機の洗浄や乾燥を含む運転制御を行う制御装置、２６は床面、２７は天井面、２８は屋上等である。
【００１２】
図２および図３は本発明に係る内部自動洗浄空調機の一例を示す側面構成説明図および上面構成説明図である。
【００１３】
空調機１１のケーシング３１は例えば内部に断熱材を閉じ込めケーシング内面に断熱材が露出しないように加工した耐水・耐食性板等の外板により箱状に構成される。前記ケーシング３１に設けられる空調用空気入口部（室内還気用）には空気入口部開閉装置（空調用高密度ダンパ）３２が設けられ、この空気入口部開閉装置３２には空気入口部開閉装置３２の開閉を自動的に操作するアクチュエータが設けられる。前記ケーシング３１内の空気入口部開閉装置３２より空調用空気下流側には第１の洗浄室３３が設けられ、この第１の洗浄室３３には空調機外部に設置された洗浄用流体タンク、ポンプや配管、弁等の洗浄用流体供給装置に連結されて、水等の洗浄用流体を噴射するケーシング洗浄用ノズル３４および熱交換器洗浄用ノズル３５が設けられると共に、第１の洗浄室３３に対応したケーシング底部には断面が逆三角形状のドレンパン３６が設けられる。前記ケーシング洗浄用ノズル３４はケーシング３１の第１の洗浄室３３内部をくまなく洗浄できるように洗浄用流体を放射状に噴射し得るものが１個設けられる。尚、ケーシング洗浄用ノズル３４は１個に限らず複数個設けるようにしてもよい。
【００１４】
前記ケーシング３１内の第１の洗浄室３３より空調用空気下流側には空気を通過させる熱交換器３７が設けられる。この熱交換器３７は例えばクロスフィンコイル式の直膨コイル等よりなり、冷媒用電磁弁で冷媒量を調整して直膨コイルに冷媒を循環し、膨張弁を経由して直膨コイルを冷却または加熱することにより、直膨コイルを通過する空気が冷却または加熱される。前記熱交換器３７のフィンピッチは、粉が溜まりにくいように、また、洗浄用流体がコイル内に十分行き渡るように、空調用途として一般に使用されているものよりも幅を大きくとることが望ましい。しかし、過大長のフィンピッチは熱交換効率を低下させることになるだけではなく、装置規模や装置コストを大きくしてしまう。このため、本実施形態例では、フィンピッチを略４ｍｍ程度にし、冷却または加熱性能を落とさずに最大限の洗浄効果を発揮し得るようにしている。
【００１５】
なお、熱交換器３７に対応したケーシング底部のドレンパンは独立して設けずに、第１の洗浄室のドレンパン３６と共用させることが望ましい。この理由は、コイル部分用の独立したドレンパンを設けると、洗浄時、コイル部分用のドレンパンにはあまり洗浄用流体が流入しないにも関わらず、汚れのひどい洗浄用流体がここに流入し、ドレン配管が詰まる恐れがあるからである。
【００１６】
前記ケーシング３１内の熱交換器３７より空調用空気下流側には第２の洗浄室３８が設けられ、この第２の洗浄室３８には、空調機外部に設置された洗浄流体タンク、ポンプや配管、弁等の洗浄用流体供給装置に連結されて、水等の洗浄用流体を噴射するケーシング洗浄用ノズル３９および熱交換器洗浄用ノズル４０が設けられると共に、第２の洗浄室３８に対応したケーシング底部には断面が逆三角形状のドレンパン４１が設けられる。前記ケーシング洗浄用ノズル３９はケーシング３１の第２の洗浄室３８内部をくまなく洗浄できるように洗浄用流体を放射状に噴射し得るものが１個設けられる。尚、ケーシング洗浄用ノズル３９は１個に限らず複数個設けるようにしてもよい。
【００１７】
前記熱交換器洗浄用ノズル３５および前記熱交換器洗浄用ノズル４０は熱交換器３７の両側から対向するようにして洗浄用流体を同時に噴射し、洗浄用流体を熱交換器３７の上流側面および下流側面にそれぞれ噴射する。前記熱交換器洗浄用ノズル３５および前記熱交換器洗浄用ノズル４０はそれぞれ水平方向に３個ずつ垂直方向に２段設けられ、それぞれ６個ずつ設けられる。前記熱交換器洗浄用ノズル３５および前記熱交換器洗浄用ノズル４０はそれぞれ洗浄用流体の熱交換器３７への噴射面が略四角形になるものが選定され、且つケーシング洗浄用ノズルよりも熱交換器３７に近くて複数のノズルから噴射される洗浄用流体をオーバラップさせることなく熱交換器３７の上・下流側面全体に噴射し得る位置に配置される。洗浄用流体の熱交換器３７への噴射面をオーバラップさせないのはオーバラップにより洗浄用流体が衝突して打ち消され、洗浄効果が低下するのを防止するためである。なお、熱交換器洗浄用ノズル３５，４０の数は、空調機能力に基づいて選定される熱交換器３７のサイズや、洗浄用ノズルの噴射特性に依存し、必ずしも、それぞれ３個×２段の構成とする必要はない。
【００１８】
前記第２の洗浄室３８の空調用空気出口部（室内給気用）には空気出口部開閉装置（空調用高密度ダンパ）４２が設けられ、この空気出口部開閉装置４２には空気出口部開閉装置４２の開閉を自動的に操作するアクチュエータが設けられる。前記空気出口部開閉装置４２の空調用空気下流側には送風機４３が空調用空気を矢印４４方向に通過させるように設けられる。
【００１９】
前記熱交換器３７に接続された冷媒用配管の往管または還管には冷媒流量用電磁弁４５が設けられ、前記ケーシング洗浄用ノズル３４，３９に接続された洗浄流体用配管にはケーシング洗浄用電磁弁４６が設けられ、前記熱交換器洗浄用ノズル３５，４０に接続された洗浄流体用配管には熱交換器洗浄用電磁弁４７が設けられる。前記ドレンパン３６，４１は共通のドレン配管に接続される。なお、ドレンパン３６，４１は、前述のような断面逆三角形状のものに限定されず、洗浄用流体が滞留することなく迅速にドレン排出口に導かれるように、深型かつドレン排出口に向けて傾斜した底面を有するものであれば、その形状は問わない。
【００２０】
熱交換器洗浄用電磁弁４７を介して洗浄用流体が供給される熱交換器洗浄用ノズル３５，４０は熱交換器洗浄装置を構成する。熱交換器洗浄用ノズル３５は噴射方向が固定された洗浄ノズルを用いて熱交換器３７の上流側から熱交換器３７に向けてのみ洗浄用流体を噴射して熱交換器３７を洗浄する。熱交換器洗浄用ノズル４０は噴射方向が固定された洗浄ノズルを用いて熱交換器３７の下流側から熱交換器３７に向けてのみ洗浄用流体を噴射して熱交換器３７を洗浄する。
【００２１】
ケーシング洗浄用電磁弁４６を介して洗浄用流体が供給されるケーシング洗浄用ノズル３４，３９はケーシング洗浄装置を構成する。ケーシング洗浄用ノズル３４は放射状に噴射する洗浄ノズルを用いて熱交換器の上流側からケーシング内面に洗浄用流体を噴射して熱交換器上流側のケーシング内面を熱交換器３７の上流側面も含めて洗浄する。ケーシング洗浄用ノズル３９は放射状に噴射する洗浄ノズルを用いて熱交換器の下流側からケーシング内面に洗浄用流体を噴射して熱交換器下流側のケーシング内面を熱交換器３７の下流側面を含めて洗浄する。
【００２２】
熱交換器洗浄装置およびケーシング洗浄装置には、制御装置２５の指示に基づいて熱交換器洗浄用電磁弁４７およびケーシング洗浄用電磁弁４６がそれぞれ開閉されることにより、洗浄用流体供給装置から洗浄用流体が順次供給される。
【００２３】
ケーシング３１の熱交換器下流側には乾燥用流体入口部（乾燥用ダンパ）４８が設けられると共にケーシング３１の熱交換器上流側には乾燥用流体出口部（乾燥用ダンパ）４９が設けられる。乾燥用流体入口部４８を介してケーシング３１内に乾燥用流体が流入されると共に乾燥用流体出口部４９を介してケーシング３１内から例えば空気等の乾燥用流体が流出されてケーシング３１の内面および熱交換器３７を乾燥させる。乾燥用流体は矢印５０方向に通流する。
【００２４】
図１に示す制御装置２５は空調機１１１，１１２，１１３の運転制御を行い、空調機１１１，１１２，１１３の運転中に運転モードとして、
▲１▼  洗浄用流体および乾燥用流体が空調機１１１，１１２，１１３に供給されないようにするとともに熱交換器３７を介して生成された空調空気を空調対象室１６へ供給する空調運転モード。
【００２５】
▲２▼  空気出入口部開閉装置３２，４２を閉鎖するとともに、洗浄用流体供給装置により洗浄用流体を空調機１１１，１１２，１１３に供給して熱交換器３７およびケーシング３１内面を洗浄する洗浄運転モード。
【００２６】
▲３▼  乾燥用流体を空調機１１１，１１２，１１３に供給して空調機１１１，１１２，１１３の内部を乾燥させる乾燥運転モード。
【００２７】
のいずれかを実行する。前記制御装置２５は、前記洗浄運転モードにおいて、洗浄用流体が熱交換器洗浄装置またはケーシング洗浄装置のいずれか一方の洗浄装置のみに供給されるように洗浄用流体供給装置を制御して熱交換器３７またはケーシング３１の内面を所定時間洗浄した後、洗浄用流体が他方の洗浄装置のみに供給されるように洗浄用流体供給装置を制御してケーシング３１の内面または熱交換器３７を洗浄する。本実施形態例では、熱交換器洗浄装置による洗浄時間、ケーシング洗浄装置による洗浄時間は、ともに１分程度である。洗浄中、洗浄流体ポンプ１８は定格運転とする。なお、ケーシング洗浄時には、前述のように熱交換器表面を含むケーシング内面に対して洗浄用流体が噴射されるため、実質的な熱交換器の洗浄時間は他の洗浄対象域よりも長い２分程度となる。空調機内部では、ケーシング内面に付着する粉体よりも熱交換器に付着する粉体の方が量が多くなる。したがって、熱交換器３７に近い位置にある熱交換器洗浄用ノズル３５，４０から洗浄用流体を高圧で集中的に噴射するプロセスと、熱交換器３７から遠い位置にあるケーシング洗浄用ノズル３４，３９から洗浄用流体を分散的に噴射するプロセスを個別・段階的に実行すれば、洗浄所要時間・洗浄用流体消費量がともに少なくて済む、熱交換器３７とケーシング３１内の汚れ具合に応じた極めて効果的な洗浄が可能になる。
【００２８】
図４は本発明に係る内部自動洗浄空調機における各部の動作の一例を示す特性図である。
【００２９】
すなわち、空調用ファン４３は通常空調期間のみ起動する。空気出入口部開閉装置３２，４２は通常空調期間のみ開放し、洗浄準備（空調停止）期間は閉鎖状態まで徐々に閉じ、空調準備期間は開放状態まで徐々に開く。熱交換器洗浄用電磁弁４７は熱交換器洗浄期間のみ開く。ケーシング洗浄用電磁弁４６はケーシング洗浄期間のみ開く。洗浄流体ポンプ１８は熱交換器洗浄期間およびケーシング洗浄期間のみ起動する。乾燥用流体出入口部４８，４９は空調機内乾燥期間のみ開く。乾燥用ファン２３，２４は空調機内乾燥期間のみ起動する。冷媒流量用電磁弁４５は通常空調期間、空調準備期間のみ開く。洗浄用流体が噴射されているとき（洗浄運転モード）、洗浄用流体が空調機外の空調用空気流路や乾燥用流体流路へ漏出しないよう、空気出入口部開閉装置３２，４２や乾燥用流体出入口部４８，４９は、いずれも閉鎖状態に制御される。
【００３０】
本発明に係る内部自動洗浄空調機は、空調機内部に付着した粉体を人手を介さずに自動洗浄できる。この空調機は、自動洗浄機構と自動乾燥機構を機内に装備しており、空調機本体が床面以外にも設置できるようになるとともに、洗浄時や洗浄後の室内湿度環境への影響を抑えることができる。また、この空調機は、洗浄方式として熱交換器を洗浄するために、まず汚れのひどい熱交換器へ向かって直線的に洗浄用流体を噴射する一方で、熱交換器洗浄とは時間差を設け、空調機内部を洗浄するために、内部全体に洗浄用流体が行き渡るように洗浄用流体を噴射する、あるいは、逆に、空調機内部を洗浄するために、まず内部全体に洗浄用流体が行き渡るように洗浄用流体を噴射する一方で、ケーシング洗浄とは時間差を設けて、熱交換器を洗浄するために、汚れがひどい熱交換器に向かって直線的に洗浄用流体を噴射する、個別・段階的な洗浄方法を採用している。したがって、大量の洗浄用流体を必要としないことにより、洗浄用流体搬送用の配管径が小さくなるばかりではなく、洗浄用流体の必要貯留流体量および洗浄流体ポンプを減少することができ、システムが小規模化・簡素化するという利点がある。さらに、洗浄用流体の噴射後、熱交換器に溜まっていた汚れは時間をかけて熱交換器外へ排出される特性があるが、洗浄方式として個別・段階的な洗浄方法を採用したことにより汚染物質が十分に排出される利点がある。
【００３１】
以上、本発明の好適な実施形態例を説明したが、本発明の実施形態例は前述した例に限定されるものではない。
【００３２】
例えば、洗浄用流体として、洗浄水の代りに殺菌消毒剤を含む流体を用いれば、空調機内部の殺菌消毒が可能となり衛生的である。また、乾燥用流体として、外気の代わりに熱風を用いれば、より効果的に乾燥することができる。
【００３３】
本実施形態例では、熱交換器の上流側および下流側に熱交換器洗浄装置とケーシング洗浄装置を設けているが、使用する洗浄用流体、あるいは、洗浄用流体により洗浄・排出される粉体や塵埃の物性等に応じて、各洗浄装置を熱交換器の上流側または下流側のいずれか一方に設けるようにしても良い。
【００３４】
また、熱交換器３７は直膨型に限定されず、例えば、室外機１３の代わりに熱源機や蓄熱槽等の熱源装置を設け、この熱源装置から循環供給される冷温水やブラインを熱媒として用いて、空調用空気と熱交換するものであっても良い。
【００３５】
さらに、電磁弁４６，４７の代わりに開度調整可能な制御弁を用い、洗浄用流体供給装置を制御して熱交換器３７を所定時間洗浄した後、熱交換器洗浄用制御弁を徐々に閉止すると同時にケーシング洗浄用制御弁を徐々に開放するようにしても良いし、あるいは、洗浄流体ポンプ１８の制御出力を可変制御しても良い。これにより、熱交換器およびケーシング内面の洗浄時間や洗浄水圧を適宜調整することが可能になり、より効果的な洗浄が可能になる。
【００３６】
【発明の効果】
以上述べたように本発明によれば、ケーシング内部や熱交換器に付着した粉体を自動的に洗浄する空調機の洗浄システムおよび洗浄方法を提供することができる。また、洗浄用流体の使用量や洗浄時のエネルギー消費量、設備規模を抑制することができ、洗浄効率に優れた空調機の洗浄システムおよび洗浄方法を提供することができる。
【図面の簡単な説明】
【図１】本発明に係る空調機の洗浄システムの一実施形態例を示す構成説明図である。
【図２】本発明に係る内部自動洗浄空調機の一例を示す側面構成説明図である。
【図３】本発明に係る内部自動洗浄空調機の一例を示す上面構成説明図である。
【図４】本発明に係る内部自動洗浄空調機における各部の動作の一例を示す特性図である。
【符号の説明】
１１１，１１２，１１３  空調機
１３  室外機
１６  空調対象室
１８  洗浄流体ポンプ
１９  洗浄流体タンク
２３  乾燥用外気ファン
２４  乾燥用排気ファン
２５  制御装置
３１  ケーシング
３２  空気入口部開閉装置
３４  ケーシング洗浄用ノズル
３５  熱交換器洗浄用ノズル
３７  熱交換器
３９  ケーシング洗浄用ノズル
４０  熱交換器洗浄用ノズル
４２  空気出口部開閉装置
４３  送風機
４８  乾燥用流体入口部
４９  乾燥用流体出口部
【図１】
2004191012.tif 000003
【図２】
2004191012.tif 000004
【図３】
2004191012.tif 000005
【図４】
2004191012.tif 000006